(57)【要約】【課題】アニメーション動画ファイルの生成時に、コマ撮りごとの被写体移動量を知らせる電子カメラを提供する。【解決手段】電子カメラは、撮像して画像信号を出力する撮像素子６と、画像信号に所定の信号処理を施して画像データを生成する画像データ生成手段２０、１０と、撮像時刻が異なる複数の画像データを含む動画像ファイルを生成するファイル生成手段２０、１０と、画像データを用いて再生画像を表示する表示手段１４、１５と、撮影指示前に撮像素子６から出力された画像信号に基づく第１再生画像と、動画像ファイルに含まれる最終の画像データを用いた第２再生画像とを重ね合わせて表示するように表示手段１４、１５を制御する表示制御手段２０とを備える。【選択図】図１
2008060661.tif 000002
【特許請求の範囲】
【請求項１】
撮像して画像信号を出力する撮像素子と、
前記画像信号に所定の信号処理を施して画像データを生成する画像データ生成手段と、
撮像時刻が異なる複数の前記画像データを含む動画像ファイルを生成するファイル生成手段と、
前記画像データを用いて再生画像を表示する表示手段と、
撮影指示前に前記撮像素子から出力された画像信号に基づく第１再生画像と、前記動画像ファイルに含まれる最終の画像データを用いた第２再生画像とを重ね合わせて表示するように前記表示手段を制御する表示制御手段とを備えることを特徴とする電子カメラ。
【請求項２】
請求項１に記載の電子カメラにおいて、
前記表示制御手段は、前記第１再生画像および前記第２再生画像の濃淡比率を変えて前記重ね合わせ表示させることを特徴とする電子カメラ。
【請求項３】
請求項１または２に記載の電子カメラにおいて、
前記ファイル生成手段は、撮影指示後に前記撮像素子から出力された画像信号を用いて前記画像データ生成手段が生成した画像データを、前記動画像ファイルが含む最終の画像データとして前記動画像ファイルへ追加することを特徴とする電子カメラ。
【請求項４】
請求項３に記載の電子カメラにおいて、
前記画像データ生成手段は、前記動画像ファイルに追加する画像データの記録画素数とフレームレートのうち少なくとも一方を、前記動画像データに含まれる画像データの記録画素数およびフレームレートに揃えることを特徴とする電子カメラ。
【請求項５】
請求項３に記載の電子カメラにおいて、
前記動画像ファイルに含まれる画像データの撮影条件に前記動画像ファイルに追加する画像データの撮影条件を揃える撮影制御手段をさらに備えることを特徴とする電子カメラ。
【請求項６】
請求項３〜５のいずれか一項に記載の電子カメラにおいて、
データ削除を指示する信号を発する第１操作部材をさらに備え、
前記ファイル生成手段は、前記第１操作部材が発する信号に応じて、前記動画像ファイルに含まれる画像データのうち最終の画像データを削除することを特徴とする電子カメラ。
【請求項７】
請求項３〜６のいずれか一項に記載の電子カメラにおいて、
前記再生画像の表示を指示する信号を発する第２操作部材をさらに備え、
前記表示制御手段は、前記第２操作部材が発する信号に応じて、前記動画像ファイルに含まれる画像データのうち最終の画像データから所定コマ数または所定再生時間分の画像データを用いて動画再生画像を表示するように前記表示手段を制御することを特徴とする電子カメラ。
【請求項８】
請求項１〜７のいずれか一項に記載の電子カメラにおいて、
動画像ファイルを示す信号を発する第３操作部材をさらに備え、
前記表示制御手段は、前記第１再生画像と、前記第３操作部材が発する信号が示す動画像ファイルに含まれる最終の画像データを用いた第２再生画像とを重ね合わせて表示するように前記表示手段を制御することを特徴とする電子カメラ。
【発明の詳細な説明】
【技術分野】
【０００１】
本発明は、電子カメラに関する。
【背景技術】
【０００２】
クレイアニメーションは、粘土等で作ったキャラクターを少しずつ動かし、これをコマ撮りすることによって制作される動画アニメーションである。このようなアニメーション作成において、アニメーション再生したときに滑らかに動くキャラクターを見せるためには、キャラクターを所定幅で正確に動かしながらコマ撮りする必要がある。
【０００３】
一方、前コマの撮影画像の一部と次コマのビュー画像とをビューファインダに表示することにより、パノラマ撮影時の画像の継ぎ目合わせをしやすくする技術が知られている（特許文献１参照）。
【０００４】
【特許文献１】特開平１０−１１５８７９号公報
【発明の開示】
【発明が解決しようとする課題】
【０００５】
上述したアニメーション作成時に特許文献１の技術を適用しても、コマ撮りごとにキャラクターをどれだけ動かせばよいかわからない。
【課題を解決するための手段】
【０００６】
（１）本発明による電子カメラは、撮像して画像信号を出力する撮像素子と、画像信号に所定の信号処理を施して画像データを生成する画像データ生成手段と、撮像時刻が異なる複数の画像データを含む動画像ファイルを生成するファイル生成手段と、画像データを用いて再生画像を表示する表示手段と、撮影指示前に撮像素子から出力された画像信号に基づく第１再生画像と、動画像ファイルに含まれる最終の画像データを用いた第２再生画像とを重ね合わせて表示するように表示手段を制御する表示制御手段とを備えることを特徴とする。
（２）請求項１に記載の電子カメラにおいて、表示制御手段は、第１再生画像および第２再生画像の濃淡比率を変えて重ね合わせ表示させることもできる。
（３）請求項１または２に記載の電子カメラにおいて、ファイル生成手段は、撮影指示後に撮像素子から出力された画像信号を用いて画像データ生成手段が生成した画像データを、動画像ファイルが含む最終の画像データとして動画像ファイルへ追加することが好ましい。
（４）請求項３に記載の電子カメラにおいて、画像データ生成手段は、動画像ファイルに追加する画像データの記録画素数とフレームレートのうち少なくとも一方を、動画像データに含まれる画像データの記録画素数およびフレームレートに揃えることが好ましい。
（５）請求項３に記載の電子カメラはさらに、動画像ファイルに含まれる画像データの撮影条件に動画像ファイルに追加する画像データの撮影条件を揃える撮影制御手段を備えてもよい。
（６）請求項３〜５のいずれか一項に記載の電子カメラはさらに、データ削除を指示する信号を発する第１操作部材を備えてもよい。この場合のファイル生成手段は、第１操作部材が発する信号に応じて、動画像ファイルに含まれる画像データのうち最終の画像データを削除することが好ましい。
（７）請求項３〜６のいずれか一項に記載の電子カメラはさらに、再生画像の表示を指示する信号を発する第２操作部材を備えてもよい。この場合の表示制御手段は、第２操作部材が発する信号に応じて、動画像ファイルに含まれる画像データのうち最終の画像データから所定コマ数または所定再生時間分の画像データを用いて動画再生画像を表示するように表示手段を制御することが好ましい。
（８）請求項１〜７のいずれか一項に記載の電子カメラはさらに、動画像ファイルを示す信号を発する第３操作部材を備えてもよい。この場合の表示制御手段は、第１再生画像と、第３操作部材が発する信号が示す動画像ファイルに含まれる最終の画像データを用いた第２再生画像とを重ね合わせて表示するように表示手段を制御することが好ましい。
【発明の効果】
【０００７】
本発明による電子カメラでは、アニメーションのような動画ファイル生成時に、コマ撮りごとの被写体移動量を知らせることができる。
【発明を実施するための最良の形態】
【０００８】
以下、図面を参照して本発明を実施するための最良の形態について説明する。図１は、本発明の一実施の形態による電子カメラを例示するブロック図である。図１において、電子カメラは撮影レンズ１と、フォーカス制御回路２と、シャッター制御回路３と、絞り制御回路４と、ズーム制御回路５と、撮像素子６と、撮像制御回路７と、映像回路８と、不揮発性メモリ９と、バッファメモリ１０と、メモリ制御回路１１と、操作スイッチ１３ａ，１３ｂ…と、操作検出回路１３と、モニタ制御回路１４と、ＬＣＤ（液晶表示器）１５と、エンジン２０とを有し、着脱可能なメモリカード１２が装着されている。
【０００９】
撮影レンズ１はズームレンズ１ａ、絞り１ｃ、シャッター１ｄおよびフォーカスレンズ１ｂを含み、被写体像を撮像素子６の撮像面上に結像させる。ズームレンズ１ａはズーム制御回路５によって光軸方向に進退駆動され、撮影画角を変更する。絞り１ｃは絞り制御回路によって駆動制御され、撮影レンズ１を通過する光量を調節する。
【００１０】
シャッター１ｄはシャッター制御回路３によって駆動制御され、撮像素子６の露光時間を制御する。フォーカスレンズ１ｂはフォーカス制御回路２によって光軸方向に進退駆動され、撮影レンズ１のフォーカス調節を行う。
【００１１】
撮像素子６は、ＣＣＤイメージセンサなどによって構成され、被写体像を画素位置に対応する複数の電気信号に光電変換し、変換後の信号を映像回路８へ送出する。映像回路８は、撮像素子６から入力される電気信号の増幅、およびアナログ信号からディジタル信号への変換等を行ってエンジン２０へ送出する。撮像制御回路７は撮像素子６を駆動するタイミング信号を発生し、撮像素子６の露光時間（電荷蓄積時間）、光電変換、および電気信号の出力（電荷転送）などを制御する。
【００１２】
不揮発性メモリ９は、エンジン２０からの指示によりデータの記録および読出しが可能に構成され、エンジン２０が実行するプログラムや撮影した画像データなどを格納する。不揮発性メモリ９の記録内容は、電子カメラの電源オフ時も保持される。バッファメモリ１０は、エンジン２０からの指示によりデータの記録および読出しが可能に構成され、撮影した画像データ、画像処理過程のデータ、画像処理後のデータ、画像圧縮後のデータなど、各種処理過程のデータを一時的に格納する。
【００１３】
メモリ制御回路１１は、エンジン２０からの指示によりメモリカード１２内のデータの記録および読出しが可能に構成される。メモリカード１２には、撮影した画像データおよびその撮影情報を含む画像ファイルが記録される。
【００１４】
モニタ制御回路１４は、エンジン２０から出力された表示データをＬＣＤ１５へ送出するとともに、ＬＣＤ１５の点灯、消灯および表示制御を行う。ＬＣＤ１５は、再生モード時において撮影済みの画像データによる再生画像を表示する他、撮影モード時において撮影指示前（撮影準備段階）に撮像素子６から出力される撮像信号によるビュー画像を表示する。
【００１５】
操作スイッチ１３ａ，１３ｂ等は電源スイッチ（メインスイッチ）、レリーズスイッチ、モード切替スイッチなどを含む。操作検出回路１３は、各操作スイッチからの操作信号が入力されると、操作信号に応じた操作情報をエンジン２０へ送出する。
【００１６】
エンジン２０はマイクロコンピュータによって構成され、不揮発性メモリ９に格納されているプログラムにしたがってカメラ動作を制御するとともに、撮影した画像のデータ処理および再生処理を行う。
【００１７】
上記電子カメラは、静止画撮影およびアニメーション撮影（動画撮影）を行うことが可能に構成される。静止画撮影は、レリーズボタンの全押し操作（撮影指示）に応じて単コマずつ行われる撮影であり、単コマごとの静止画像ファイルを生成する。アニメーション撮影は、レリーズボタンの全押し操作（撮影指示）に応じて単コマずつ行われる撮影であり、撮影時刻が異なる複数コマの画像で構成される動画像ファイルを生成する。
【００１８】
＜静止画撮影動作＞
エンジン２０は、レリーズボタンの半押し操作を示す操作情報が操作検出回路１３から入力されると、測光を開始させる。具体的には、シャッター１ｄおよび絞り１ｃを開放状態にして撮像素子６に撮影準備段階の撮像を行わせ、電荷蓄積後に撮像素子６から出力される撮像信号の信号値から明るさ情報を取得して露出演算を行う（ＡＥ）。エンジン２０はさらに、撮像素子６から所定のフレームレート（たとえば毎秒１５コマ）で出力される撮像信号によるビュー画像をＬＣＤ１５に逐次表示させる。
【００１９】
半押し操作に続いてレリーズボタンの全押しを示す操作情報が操作検出回路１３から入力されると、エンジン２０は静止画撮影動作を開始させる。具体的には、上記露出演算結果に基づいた露出条件（絞り１ｃおよびシャッター１ｄを制御）で撮像素子６に撮影用の電荷蓄積を行わせる。エンジン２０は、撮影用の電荷蓄積後に撮像素子６から出力される撮像信号に対し、所定の信号処理を施す。
【００２０】
エンジン２０が信号処理を施した画像データをモニタ制御回路１４へ出力することにより、静止画撮影画像がＬＣＤ１５に表示される。また、エンジン２０は、圧縮処理後の画像データをメモリカード１２へ静止画像ファイル（たとえば、拡張子を「．ＪＰＧ」で示す形式）として記録させる。
【００２１】
＜アニメーション撮影動作＞
アニメーション撮影動作は、アニメーションを構成する撮影画像のうち直近（最終コマ）の撮影画像と、次コマの撮影準備段階のビュー画像とを合成（たとえば表示画素位置に対応させて加算）し、合成画像をＬＣＤ１５に表示させながら行う。エンジン２０は、レリーズボタンの半押し操作を示す操作情報が操作検出回路１３から入力されると、測光を開始させる。具体的には、シャッター１ｄおよび絞り１ｃを開放状態にして撮像素子６に撮影準備段階の撮像を行わせ、電荷蓄積後に撮像素子６から出力される撮像信号の信号値から明るさ情報を取得して露出演算を行う（ＡＥ）。エンジン２０はさらに、撮像素子６から所定のフレームレート（たとえば毎秒１５コマ）で出力される撮像信号によるビュー画像と、直近に撮影したコマの再生画像とをＬＣＤ１５に重ね表示させる。
【００２２】
半押し操作に続いてレリーズボタンの全押しを示す操作情報が操作検出回路１３から入力されると、エンジン２０は所定時間ウェイトを挿入してから撮影動作を開始させる。具体的には、３秒経過後上記露出演算結果に基づいた露出条件で撮像素子６に撮影用の電荷蓄積を行わせる。エンジン２０は、撮影用の電荷蓄積後に撮像素子６から出力される撮像信号に対し、所定の信号処理を施す。
【００２３】
エンジン２０が信号処理を施した画像データをモニタ制御回路１４へ出力することにより、撮影画像がＬＣＤ１５に表示される。また、エンジン２０は、圧縮処理後の画像データをメモリカード１２へ動画像ファイル（たとえば、拡張子を「．ＭＯＶ」で示す形式）として記録させる。
【００２４】
なお、操作検出回路１３によってメモリカード１２へ非圧縮状態での記録が指示されている場合には、エンジン２０は圧縮処理を行わずに画像データをメモリカード１２へ記録する。
【００２５】
本発明は、アニメーション撮影およびアニメーション撮影によって生成された動画像ファイルに対する処理に特徴を有するので、この点を中心にさらに説明する。
【００２６】
図２は、エンジン２０が実行するカメラ処理の流れを説明するフローチャートである。エンジン２０は、電子カメラのメインスイッチがオン操作されると図２に例示した処理を行うプログラムを起動させる。図２のステップＳ１において、エンジン２０は、システムを初期化してステップＳ２へ進む。
【００２７】
ステップＳ２において、エンジン２０はオート露出演算（ＡＥ）を行ってステップＳ３へ進む。ステップＳ３において、エンジン２０は、オートホワイトバランス（ＡＷＢ）処理（色温度調整処理）を行ってステップＳ４へ進む。ステップＳ４において、エンジン２０は、オートフォーカス調節（ＡＦ）を行ってステップＳ５へ進む。
【００２８】
ステップＳ５において、エンジン２０は撮影準備段階のビュー画像をＬＣＤ１５に表示（スルー画点灯）させてステップＳ６へ進む。ステップＳ６において、エンジン２０は動作モードを判定する。エンジン２０は、操作検出回路１３からの操作情報から「静止画撮影モード」を判定するとステップＳ７へ進み、「アニメーション撮影モード」を判定するとステップＳ２４へ進み、「再生モード」を判定した場合にはステップＳ２５へ進む。
【００２９】
ステップＳ２４において、エンジン２０はアニメーション撮影処理を行ってステップＳ６へ戻る。アニメーション撮影処理の詳細については後述する。ステップＳ２５において、エンジン２０は再生処理を行ってステップＳ６へ戻る。再生処理の詳細については後述する。
【００３０】
＜静止画撮影モード＞
ステップＳ７において、エンジン２０は撮影に関する設定内容を初期化してステップＳ８へ進む。設定内容は、たとえば、オート露出モードの設定を「プログラムオート」に、ストロボモードの設定を「オート発光モード」に、露出補正の設定を「０（＝補正なし）」に、それぞれ設定する。
【００３１】
ステップＳ８において、エンジン２０は設定内容の変更有無を判定する。エンジン２０は、操作検出回路１３から変更を指示する操作情報が入力されるとステップＳ８を肯定判定してステップＳ９へ進み、変更を指示する操作情報が入力されない場合にはステップＳ８を否定判定してステップＳ１０へ進む。
【００３２】
ステップＳ９において、エンジン２０は、入力された操作情報にしたがって撮影に関する設定を変更し、ステップＳ１０へ進む。ステップＳ１０〜ステップＳ１２はステップＳ２〜ステップＳ４と同様である。これにより、露出、色温度調整、およびフォーカス調節が行われたビュー画像がＬＣＤ１５に表示される。
【００３３】
ステップＳ１３において、エンジン２０は半押しスイッチがオンされたか否かを判定する。エンジン２０は、レリーズボタンの半押し操作を示す操作情報が操作検出回路１３から入力されるとステップＳ１３を肯定判定してステップＳ１４へ進み、半押し操作を示す操作情報が入力されない場合にはステップＳ１３を否定判定してステップＳ２１へ進む。
【００３４】
ステップＳ１４〜ステップＳ１６はステップＳ２〜ステップＳ４と同様である。これにより、露出、色温度調整、およびフォーカス調節が行われ、最新の状態が保持（ロック）される。ステップＳ１７において、エンジン２０は、レリーズされたか否かを判定する。エンジン２０は、レリーズボタンの全押し操作を示す操作情報が操作検出回路１３から入力されるとステップＳ１７を肯定判定してステップＳ１８へ進み、全押し操作を示す操作情報が入力されない場合にはステップＳ１７を否定判定してステップＳ２０へ進む。
【００３５】
ステップＳ１８において、エンジン２０は静止画撮影動作を行ってステップＳ１９へ進む。ステップＳ１９において、エンジン２０は撮影画像を静止画像ファイルとしてメモリカード１２に記録させてステップＳ８へ戻る。
【００３６】
ステップＳ２０において、エンジン２０は半押しスイッチがオンされているか否かを判定する。エンジン２０は、レリーズボタンの半押し操作を示す操作情報が操作検出回路１３から継続して入力されている場合にステップＳ２０を肯定判定してステップＳ１７へ戻り、半押し操作を示す操作情報が入力されていない場合にはステップＳ２０を否定判定してステップＳ２２へ進む。
【００３７】
ステップＳ１３を否定判定して進むステップＳ２１において、エンジン２０は電源オンか否かを判定する。エンジン２０は、メインスイッチがオン位置にあればステップＳ２１を肯定判定してステップＳ２２へ進み、メインスイッチがオフ位置に操作された場合はステップＳ２１を否定判定してステップＳ２３へ進む。
【００３８】
ステップＳ２２において、エンジン２０は動作モードの変更有無を判定する。エンジン２０は、操作検出回路１３から変更を指示する操作情報が入力されるとステップＳ２２を肯定判定してステップＳ６へ戻り、変更を指示する操作情報が入力されない場合にはステップＳ２２を否定判定してステップＳ８へ戻る。ステップＳ２３において、エンジン２０は所定の電源オフ処理を行って図２による処理を終了する。
【００３９】
＜アニメーション撮影モード＞
アニメーション撮影処理の詳細について、図３のフローチャートを参照して説明する。図３のステップＳ５１において、エンジン２０は撮影モードが「撮影継続」か「新規撮影」かを判定する。電子カメラは、新規の動画像ファイルを生成する他に、既存の動画像ファイルに後から撮影する画像を追加する（＝撮影継続）ことができる。エンジン２０は、操作検出回路１３からの操作情報によって「撮影継続」が指示されている場合にステップＳ５１を肯定判定してステップＳ５２へ進み、操作情報によって「新規撮影」が指示されている場合にはステップＳ５１を否定判定してステップＳ７９へ進む。
【００４０】
ステップＳ５２において、エンジン２０は操作検出回路１３からの操作情報によって示される動画像ファイルを選択してステップＳ５３へ進む。ステップＳ５３において、エンジン２０は動画像ファイルに記録されている画像データのうち、最終コマの撮影画像データおよびその撮影情報を読み込んでステップＳ５４へ進む。撮影情報は、たとえば、シャッター速度、絞り値、ズームレンズ１ａの位置情報（ズーム画角）、ＡＷＢ調整値、オート露出モードの設定内容、ストロボモードの設定内容、露出補正の設定内容などを含み、Exif情報として記録されている。
【００４１】
ステップＳ５４において、エンジン２０は次の撮影時の画像フォーマット（たとえば記録画素数、画像圧縮率、動画像のフレームレート）を、上記最終コマの画像データのフォーマットと揃えるように設定（コピー）してステップＳ５５へ進む。ステップＳ５５において、エンジン２０は、次の撮影時の撮影条件（たとえばシャッター速度、絞り値、ズームレンズ１ａの位置情報（ズーム画角）、ＡＷＢ調整値）を、上記最終コマの撮影時の撮影条件と揃えるように設定（コピー）してステップＳ５６へ進む。
【００４２】
ステップＳ５６において、エンジン２０は、次の撮影時の撮影に関する各設定（たとえばオート露出モードの設定内容、ストロボモードの設定内容、露出補正の設定内容）を、上記最終コマの画像の撮影時の設定内容と揃えるように設定（コピー）してステップＳ５７へ進む。
【００４３】
ステップＳ５７において、エンジン２０は前撮影コマの画像全体を半透過画像とし、撮影準備段階のビュー画像と重ねてＬＣＤ１５に表示させ、ステップＳ５８へ進む。具体的には、前撮影コマの画像およびビュー画像のデータを対応する画素ごとに加算し、加算後の信号値を１／２にする。なお、「撮影継続」の場合において追加するコマを撮影する前は、選択されている動画像ファイルに記録されている最終コマの画像全体を半透過画像とする。また、「新規撮影」の場合において先頭コマを撮影する前は、前撮影コマが存在しないためビュー画像のみを表示させる。
【００４４】
ステップＳ５８において、エンジン２０は設定内容の変更有無を判定する。エンジン２０は、操作検出回路１３から変更を指示する操作情報が入力されるとステップＳ５８を肯定判定してステップＳ５９へ進み、変更を指示する操作情報が入力されない場合にはステップＳ５８を否定判定してステップＳ６０へ進む。
【００４５】
ステップＳ５９において、エンジン２０は、入力された操作情報にしたがって撮影に関する設定を変更し、ステップＳ６０へ進む。ステップＳ６０〜ステップＳ６２はステップＳ２〜ステップＳ４と同様である。これにより、ビュー画像に対して上記最終コマの画像と同様の露出、色温度調整、およびフォーカス調節が行われる。
【００４６】
ステップＳ６３において、エンジン２０は再生操作されたか否かを判定する。エンジン２０は、再生操作を示す操作情報が操作検出回路１３から入力された場合にステップＳ６３を肯定判定してステップＳ６４へ進み、再生操作を示す操作情報が入力されていない場合にはステップＳ６３を否定判定してステップＳ６５へ進む。
【００４７】
ステップＳ６４において、エンジン２０は、選択されている動画像ファイルに記録されている画像データのうち、最終コマから所定コマ数前の複数画像（たとえば最終コマを含む３０コマ）を、ＬＣＤ１５に動画再生表示させてステップＳ５７へ戻る。この場合の動画表示は、非透過画像として毎秒１５コマのフレームレートで２秒間再生表示させる。なお、選択されている動画像ファイルに記録されている画像データが３０コマに満たない場合は、全コマ分を動画表示させる。
【００４８】
ステップＳ６５において、エンジン２０は削除操作されたか否かを判定する。エンジン２０は、削除操作を示す操作情報が操作検出回路１３から入力された場合にステップＳ６５を肯定判定してステップＳ６６へ進み、削除操作を示す操作情報が入力されていない場合にはステップＳ６５を否定判定してステップＳ６７へ進む。
【００４９】
ステップＳ６６において、エンジン２０は、選択されている動画像ファイルに記録されている画像データのうち、最終コマの画像データを削除してステップＳ５７へ戻る。具体的には、最終コマを示す情報を書き換える。
【００５０】
ステップＳ６７において、エンジン２０は半押しスイッチがオンされたか否かを判定する。エンジン２０は、レリーズボタンの半押し操作を示す操作情報が操作検出回路１３から入力されるとステップＳ６７を肯定判定してステップＳ６８へ進み、半押し操作を示す操作情報が入力されない場合にはステップＳ６７を否定判定してステップＳ７６へ進む。
【００５１】
ステップＳ６８〜ステップＳ７０はステップＳ２〜ステップＳ４と同様である。これにより、露出、色温度調整、およびフォーカス調節が行われ、最新の状態が保持（ロック）される。ステップＳ７１において、エンジン２０は、レリーズされたか否かを判定する。エンジン２０は、レリーズボタンの全押し操作を示す操作情報が操作検出回路１３から入力されるとステップＳ７１を肯定判定してステップＳ７２へ進み、全押し操作を示す操作情報が入力されない場合にはステップＳ７２を否定判定してステップＳ７５へ進む。
【００５２】
ステップＳ７２において、エンジン２０は所定時間待って（たとえば３秒間）ステップＳ７３へ進む。ステップＳ７３において、エンジン２０は撮影動作を行ってステップＳ７４へ進む。ステップＳ７４において、エンジン２０は、メモリカード１２内の選択されている動画像ファイル内で、動画像を構成する最終コマの画像の後ろに撮影画像を記録させて（追加した撮影画像を最終コマと改める）ステップＳ５７へ戻る。具体的には、撮影画像のデータを記録するとともに、最終コマを示す情報を書き換える。
【００５３】
ステップＳ７５において、エンジン２０は半押しスイッチがオンされているか否かを判定する。エンジン２０は、レリーズボタンの半押し操作を示す操作情報が操作検出回路１３から継続して入力されている場合にステップＳ７５を肯定判定してステップＳ７１へ戻り、半押し操作を示す操作情報が入力されていない場合にはステップＳ７５を否定判定してステップＳ７７へ進む。
【００５４】
ステップＳ６７を否定判定して進むステップＳ７６において、エンジン２０は電源オンか否かを判定する。エンジン２０は、メインスイッチがオン位置にあればステップＳ７６を肯定判定してステップＳ７７へ進み、メインスイッチがオフ位置に操作された場合はステップＳ７６を否定判定してステップＳ７８へ進む。
【００５５】
ステップＳ７７において、エンジン２０は動作モードの変更有無を判定する。エンジン２０は、操作検出回路１３から変更を指示する操作情報が入力されるとステップＳ７７を肯定判定して図２のステップＳ６へ戻り、変更を指示する操作情報が入力されない場合にはステップＳ７７を否定判定してステップＳ５７へ戻る。ステップＳ７８において、エンジン２０は所定の電源オフ処理を行って図３による処理を終了する。
【００５６】
ステップＳ５１を否定判定して進むステップＳ７９において、エンジン２０は撮影時の画像フォーマット（たとえば記録画素数、画像圧縮率）を、操作検出回路１３から入力された操作情報にしたがって設定し、ステップＳ８０へ進む。ステップＳ８０において、エンジン２０は撮影時の撮影条件（たとえばシャッター速度、絞り値、ズームレンズ１ａの位置情報（ズーム画角）、ＡＷＢ調整値）を、操作検出回路１３から入力された操作情報にしたがって設定し、ステップＳ８１へ進む。
【００５７】
ステップＳ８１において、エンジン２０は撮影時の撮影に関する各設定（たとえばオート露出モードの設定内容、ストロボモードの設定内容、露出補正の設定内容）を、操作検出回路１３から入力された操作情報にしたがって設定し、ステップＳ５７へ進む。
【００５８】
＜再生モード＞
再生処理の詳細について、図４のフローチャートを参照して説明する。図４のステップＳ１０１において、エンジン２０はメモリカード１２内の静止画像ファイルまたは動画像ファイルに記録されている画像データのうち、最終コマの画像データを読み込む。エンジン２０はさらに、読み込んだ画像をＬＣＤ１５に再生表示させてステップＳ１０２へ進む。
【００５９】
ステップＳ１０２において、エンジン２０は静止画再生か否かを判定する。エンジン２０は、操作検出回路１３から送出された操作情報より「静止画再生」を判定するとステップＳ１０２を肯定判定してステップＳ１０３へ進み、「動画再生」を判定するとステップＳ１０２を否定判定してステップＳ１０９へ進む。
【００６０】
＜静止画再生＞
ステップＳ１０３において、エンジン２０はメモリカード１２内の静止画像ファイルのうち、最終１コマの画像をＬＣＤ１５に再生表示させてステップＳ１０４へ進む。ステップＳ１０４において、エンジン２０は削除操作されたか否かを判定する。エンジン２０は、削除操作を示す操作情報が操作検出回路１３から入力された場合にステップＳ１０４を肯定判定してステップＳ１０５へ進み、削除操作を示す操作情報が入力されていない場合にはステップＳ１０４を否定判定し、ステップＳ１１６へ進む。
【００６１】
ステップＳ１０５において、エンジン２０は、再生表示中の画像に対応する１コマの静止画像ファイルを削除してステップＳ１０６へ進む。ステップＳ１０６において、エンジン２０はメモリカード１２内の静止画像ファイルのうち、削除した画像ファイルの直前のコマの静止画像ファイルを指定してステップＳ１０７へ進む。ステップＳ１０７において、エンジン２０は指定した静止画像ファイル内の画像データを読み込み、当該１コマの画像をＬＣＤ１５に再生表示させてステップＳ１０８へ進む。
【００６２】
なお、エンジン２０は、再生表示する静止画像ファイルの変更（コマ送り、コマ戻し）を指示する操作情報が操作検出回路１３から入力された場合、操作情報にしたがって再生表示する静止画像ファイルを変更する。すなわち、ステップＳ１１６において再生ファイル変更の有無を判定し、再生ファイル変更有りを判定した場合には静止画像ファイルを指定変更し（ステップＳ１１７）、指定変更した静止画像ファイル内の画像データを読み込み（ステップＳ１１８）、当該１コマの画像をＬＣＤ１５に再生表示させる。
【００６３】
ステップＳ１０８において、エンジン２０は動作モードの変更有無を判定する。エンジン２０は、操作検出回路１３から変更を指示する操作情報が入力されるとステップＳ１０８を肯定判定して図２のステップＳ６へ戻り、変更を指示する操作情報が入力されない場合にはステップＳ１０８を否定判定してステップＳ１１９へ進む。
【００６４】
ステップＳ１１９において、エンジン２０は電源オンか否かを判定する。エンジン２０は、メインスイッチがオン位置にあればステップＳ１１９を肯定判定してステップＳ１０２へ戻り、メインスイッチがオフ位置に操作された場合はステップＳ１１９を否定判定してステップＳ１２０へ進む。ステップＳ１２０において、エンジン２０は所定の電源オフ処理を行って図４による処理を終了する。
【００６５】
＜動画再生＞
ステップＳ１０９において、エンジン２０はメモリカード１２内の動画像ファイルのうち、最新の動画像ファイルを構成する先頭１コマの画像をＬＣＤ１５に再生表示させてステップＳ１１０へ進む。ステップＳ１１０において、エンジン２０はスタート操作されたか否かを判定する。エンジン２０は、スタート操作を示す操作情報が操作検出回路１３から入力された場合にステップＳ１１０を肯定判定してステップＳ１１１へ進み、スタート操作を示す操作情報が入力されていない場合にはステップＳ１１０を否定判定し、ステップＳ１１２へ進む。
【００６６】
ステップＳ１１１において、エンジン２０は表示中の先頭画像に対応する動画像ファイルに記録されている画像データを、先頭コマから最終コマまでＬＣＤ１５に動画再生表示させてステップＳ１１２へ進む。
【００６７】
ステップＳ１１２において、エンジン２０は削除操作されたか否かを判定する。エンジン２０は、削除操作を示す操作情報が操作検出回路１３から入力された場合にステップＳ１１２を肯定判定してステップＳ１１３へ進み、削除操作を示す操作情報が入力されていない場合にはステップＳ１１２を否定判定し、ステップＳ１１６へ進む。
【００６８】
ステップＳ１１３において、エンジン２０は、再生表示中の画像に対応する動画像ファイルを削除してステップＳ１１４へ進む。ステップＳ１１４において、エンジン２０はメモリカード１２内の動画像ファイルのうち、削除した動画像ファイルの直前の動画像ファイルを指定してステップＳ１１５へ進む。ステップＳ１１５において、エンジン２０は指定した動画像ファイル内の先頭１コマの画像データを読み込み、当該１コマの画像をＬＣＤ１５に再生表示させてステップＳ１０８へ進む。
【００６９】
なお、エンジン２０は、再生表示する動画像ファイルの変更（ファイル送り、ファイル戻し）を指示する操作情報が操作検出回路１３から入力された場合、操作情報にしたがって再生表示する動画像ファイルを変更する。すなわち、ステップＳ１１６において再生ファイル変更の有無を判定し、再生ファイル変更有りを判定した場合には動画像ファイルを指定変更し（ステップＳ１１７）、指定変更した動画像ファイル内の先頭１コマの画像データを読み込み（ステップＳ１１８）、当該１コマの画像をＬＣＤ１５に再生表示させる。
【００７０】
以上説明した実施形態によれば、次の作用効果が得られる。
（１）電子カメラは、動画像ファイルを生成するアニメーション撮影処理において、動画像ファイルの前撮影コマ（最終撮影コマ）の画像全体を半透過画像とし、撮影準備段階のビュー画像と重ねてＬＣＤ１５に合成表示させる（ステップＳ５７）。これにより、電子カメラのみを用いて手軽にクレイアニメーションを作成できる。
【００７１】
図５は、テーブル上を移動する球体のアニメーションを作成する場面を説明する図である。図５(a)は、前撮影コマの画像全体をＬＣＤ１５に再生表示させた場合を例示する図である。図５(b)は、球体を移動させた状態の撮影画面（ビュー画像）を例示する図である。
【００７２】
図５(c)は、アニメーション撮影モードにおいて、前撮影コマの画像およびビュー画像をＬＣＤ１５に合成表示させた場合を例示する図である。球体の位置は図５(b)の場合と同じである。ユーザは、前撮影コマにおける球体の位置と、現時点の球体の位置との双方をＬＣＤ１５の画面で確認できるので、前コマの撮影時から球体をどれだけ移動させたかを知ることができる。
【００７３】
図５(d)は、図５(c)の状態で撮影した後、さらに球体を移動させた状態で、前撮影コマの画像およびビュー画像をＬＣＤ１５に合成表示させた場合を例示する図である。このように球体の移動と撮影とを繰り返すことにより、テーブル上を滑らかに移動する球体のアニメーション動画を作成できる。
【００７４】
（２）電子カメラは、動画像ファイルを生成するアニメーション撮影処理において、再生指示されるとその時点で撮影済みの最終コマから３０コマ（再生時間２秒分）をＬＣＤ１５に動画再生表示させる（ステップＳ６４）。これにより、ユーザは、電子カメラの動作モードを再生モードへ変更することなしに、アニメーション作成した直近の２秒間の動画像を確認できる。
【００７５】
（３）電子カメラは、動画像ファイルを生成するアニメーション撮影処理において、削除指示されるとその時点で撮影済みの最終コマの画像のみを削除する（ステップＳ６６）。これにより、ユーザは、撮影失敗を感じたらただちに当該コマの撮影画像を削除できる。
【００７６】
（４）レリーズ後、３秒間待ってから（ステップＳ７２）撮影へ進むようにしたので、電子カメラを三脚にセットしている場合には、レリーズ操作による振動が収まってから撮影処理を開始させることができる。
【００７７】
（５）電子カメラは、動画像ファイルを生成するアニメーション撮影処理において、既存の動画像ファイル（たとえば拡張子が「．ＭＯＶ」で示されるもの）に含まれる最終コマの後ろに続けて、新たに撮影するコマを追加する「撮影継続」を行えるようにした。これにより、パソコンなどを用いなくても、中断したクレイアニメーションの作成を再開したり、作成済みのアニメーションに連続するシーンの続編を追加したり、カット割りシーンを追加したりすることができる。
【００７８】
（６）上記「撮影継続」では、新たに撮影する画像のフォーマットについて、既存の動画像ファイル作成時の画像フォーマットに自動的に揃えるようにした（ステップＳ５４）ので、新たに設定し直す操作を省くことができる。
【００７９】
（７）上記「撮影継続」では、新たに撮影する撮影条件について、既存の動画像ファイル作成時の撮影条件と自動的に揃えるようにした（ステップＳ５５）ので、新たに設定し直す操作を省くことができる。
【００８０】
（８）上記「撮影継続」では、新たに撮影に関する設定について、既存の動画像ファイル作成時の設定内容と自動的に揃えるようにした（ステップＳ５６）ので、新たに設定し直す操作を省くことができる。
【００８１】
（変形例１）
上述した説明では、ＬＣＤ１５に合成表示中の前撮影コマの画像およびビュー画像の濃淡比率を１：１にする例を説明したが、濃淡比率は適宜変更して構わない。たとえば、前撮影コマの画像：ビュー画像＝２：８とすれば、前撮影コマの画像を薄く、ビュー画像をよりはっきり表示させることができる。
【００８２】
（変形例２）
記録する静止画、動画フォーマットとして、それぞれ「．ＪＰＧ」、「．ＭＯＶ」で説明したが、たとえばＭＰＥＧフォーマットを用いて動画を記録する等、他の記録フォーマットであっても構わない。
【００８３】
（変形例３）
動画像ファイルを再生する処理（ステップＳ１１１、ステップＳ６４）における再生フレームレートは、上述した１５コマ／秒に限らず、３０コマ／秒にしてもよい。
【００８４】
（変形例４）
アニメーション撮影処理中のステップＳ６４において動画像ファイルを再生するコマ数および時間は、上述した３０コマ（２秒）に限定されるものではない。複数の再生コマ数（たとえば、１０コマ再生、２０コマ再生、３０コマ再生）の中から所望の再生コマ数を選択できるようにしてもよいし、コマ数を設定するのではなく、再生したい時間（たとえば、１秒再生）を設定できるようにしてもよい。
【００８５】
以上の説明はあくまで一例であり、上記の実施形態の構成に何ら限定されるものではない。
【図面の簡単な説明】
【００８６】
【図１】本発明の一実施の形態による電子カメラを例示するブロック図である。
【図２】カメラ処理の流れを説明するフローチャートである。
【図３】アニメーション撮影処理を説明するフローチャートである。
【図４】再生処理を説明するフローチャートである。
【図５】(a)〜(d)は、テーブル上を移動する球体のアニメーション作成場面を説明する図である。
【符号の説明】
【００８７】
６…撮像素子
１０…バッファメモリ
１２…メモリカード
１３…操作検出回路
１３ａ，１３ｂ…スイッチ群
１４…モニタ制御回路
１５…ＬＣＤ
２０…エンジン
【図１】
2008060661.tif 000003
【図２】
2008060661.tif 000004
【図３】
2008060661.tif 000005
【図４】
2008060661.tif 000006
【図５】
2008060661.tif 000007